【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
中央キャビティを画定する側壁を有し、中央キャビティがその長手方向範囲に沿って延在しているパンチ本体と、
パンチ本体との関係において交互に固定または解除されるように形成され、その一方の端部にハブを含むパンチチップと、
カム、キャリヤ本体、および複数の楔部材を含む複数の補助構成要素であって、キャリヤ本体がパンチ本体中央キャビティの内部に着座し、カムがパンチ本体とキャリヤ本体とを結合し、カムがパンチ本体およびキャリヤ本体との関係において選択的に調整可能であり、カムの調整の結果としてキャリヤ本体の対応する移動がもたらされる補助構成要素と、
を含むパンチ工具において、
カムが第１の調整済み位置にあることは、キャリア本体がパンチ本体中央キャビティ内の上昇位置にあること、および各楔部材がパンチ本体の中央キャビティ内の係止位置にあることと対応しており、楔部材の前記係止位置は、パンチチップのハブとの関係におけるパンチ本体の係止用の形状構成部分に対応しており、
カムが第２の調整済み位置にあることは、キャリヤ本体がパンチ本体中央のキャビティ内の下降位置にあること、および各楔部材がパンチ本体の中央キャビティ内の係止解除位置にあると対応しており、楔部材の前記係止解除位置は、パンチチップのハブとの関係におけるパンチ本体の係止解除用の形状構成部分に対応している、
ことを特徴とするパンチ工具。
【請求項２】
カムが回転を介して選択的に調整可能であり、１つ以上の突出する部分を含み、カムの回転を介した１つ以上の突出する部分の配向の結果として、キャリヤ本体の対応する移動がもたらされる、請求項１に記載のパンチ工具。
【請求項３】
カムが、パンチ本体の側壁内に画定された開口からキャリヤ本体内に画定された孔を通って延在する棒状本体を含む、請求項２に記載のパンチ工具。
【請求項４】
棒状本体が、概してパンチ本体の長手方向範囲に対し垂直である長手方向範囲を有する、請求項３に記載のパンチ工具。
【請求項５】
複数の楔部材の各々が、パンチチップのハブの対応する表面と係合する形状を有する表面を含み、楔部材およびパンチチップのハブの表面が、パンチチップをパンチ本体に固定する際の楔部材およびパンチチップのハブの唯一の接触表面を表わしている、請求項１に記載のパンチ工具。
【請求項６】
楔部材およびパンチチップのハブの各接触表面が異なる傾斜角を有する、請求項５に記載のパンチ工具。
【請求項７】
パンチチップのハブ表面が約３７°〜５０°の範囲内の傾斜角を有し、楔部材の表面が約４３°〜５６°の範囲内の傾斜角を有する、請求項６に記載のパンチ工具。
【請求項８】
キャリヤ本体が、各々複数の楔部材の１つを収容するように画定された複数のスロットを伴って画定されており、パンチ本体の中央キャビティ内部でのキャリヤ本体の移動が結果として、パンチ本体側壁の内側表面内に画定された対応する溝との関係における楔部材の対応する移動をもたらす、請求項１に記載のパンチ工具。
【請求項９】
キャリヤ本体の中央キャビティ内に着座したプッシャーリテーナをさらに含み、プッシャーリテーナは、キャリヤ本体が下降位置にある場合に、中央キャビティ内の上昇位置へと駆動され、上昇位置にあるプッシャーリテーナは、楔部材がキャリヤ本体スロットから外へ、キャリヤ本体中央キャビティ内へと摺動するのを防止している、請求項８に記載のパンチ工具。
【請求項１０】
楔部材が、パンチ本体の溝の側面と接触しそれに沿って摺動するように形成されており、溝側面およびキャリヤ本体のスロットを画定する壁との組合せ接触の結果として、キャリヤ本体が上昇位置にある場合に楔部材は係止されることになる、請求項８に記載のパンチ工具。
【請求項１１】
楔部材が、パンチ本体の溝の側面と接触し、それに沿って摺動するように形成されており、楔部材が相応してキャリヤ本体スロット内を摺動し、キャリヤ本体が上昇位置にある場合にキャリヤ本体の中央キャビティ内に部分的に突出する、請求項８に記載のパンチ工具。
【請求項１２】
楔部材の各突出部分が、パンチチップのハブの対応する表面と係合するように形成された表面を含み、楔部材およびパンチチップのハブの表面が、パンチチップをパンチ本体に固定する際の楔部材およびパンチチップのハブの唯一の接触表面を表わしている、請求項１１に記載のパンチ工具。
【請求項１３】
カムが、２つの部分的曲線部分を有するリングを含み、２つの曲線部分がパンチ本体の周囲で共に結合されるように形成されており、リングがボール・シート連結を介してキャリヤ本体に調整可能な形で結合されている、請求項２に記載のパンチ工具。
【請求項１４】
リングが、パンチ本体の長手方向範囲に対し中央に延在する軸を中心にして選択的に回転させられるように形成されている、請求項１３に記載のパンチ工具。
【請求項１５】
第１および第２のボールをさらに含み、キャリヤ本体が、第１および第２のボールを相応して着座させるようにサイズ決定された第１および第２のくぼみを画定するステムを含んでおり、第１および第２のくぼみは、キャリヤ本体ステムの相対する側に画定されており、それでもなお第１のくぼみは、第２のくぼみよりもステムの後端からにさらに遠位に画定されており、第１の調整済み位置までのリングの回転の結果として、第１のボールは第１のくぼみに着座し、かつパンチ本体内の上昇位置へのキャリヤ本体の対応する移動がもたらされ、第２の調整済み位置へのリングの回転の結果として、第２のボールは第２のくぼみに着座し、かつパンチ本体内の下降位置へのキャリヤ本体の対応する移動がもたらされる、請求項１３に記載のパンチ工具。
【請求項１６】
リングが、その内側表面を中心にして配向される第１および第２の厚みを有し、第１のリング厚みが第２のリング厚みより大きく、第１の調整済み位置へのリングの回転の結果として、第１のボールと接触した第１のリング厚みを有する側の摺動および第２のボールと接触した第２のリング厚みを有する側の摺動がもたらされ、かつ第２の調整済み位置へのリングの回転の結果として、第１のボールと接触した第２のリング厚みを有する側の摺動および第２のボールと接触した第1のリングボール厚みを有する側の摺動がもたらされる、請求項１４に記載のパンチ工具。
【請求項１７】
パンチ本体とパンチチップをしっかり固定する方法において、
（ａ）パンチ本体およびそれと共に使用される複数の補助構成要素を提供するステップであって、パンチ本体が、中央キャビティを画定する側壁を有し、中央キャビティがパンチ本体の長手方向範囲に沿って延在し、複数の補助構成要素がカム、キャリヤ本体および複数の楔部材を含み、キャリヤ本体がパンチ本体中央キャビティ内に着座しており、カムがパンチ本体とキャリヤ本体を結合させているステップと、
（ｂ）第２の位置にカムを調整するステップであって、第２の位置が、パンチ本体中央キャビティ内部でキャリヤ本体が下降位置にあり、かつパンチ本体の中央キャビティ内部で係止解除されている各楔部材に対応し、楔部材の前記係止解除位置がパンチチップとの関係におけるパンチ本体の係止解除用の形状構成部分に対応しているステップと、
（ｃ）パンチチップをパンチ本体に隣接させるステップであって、パンチチップがその一方の端部にハブを含み、パンチチップのハブがパンチ本体の中央キャビティ内に挿入されているステップと、
（ｄ）第１の位置にカムを調整するステップであって、第１の位置が、パンチ本体の中央キャビティ内部でキャリヤ本体が上昇位置にあり、かつ、パンチ本体の中央キャビティ内部で係止されている各楔部材に対応し、楔部材の前記係止位置が、パンチチップのハブとの関係におけるパンチ本体の係止用の形状構成部分に対応しているステップと、
を含む方法。
【請求項１８】
カムが回転を介して選択的に調整可能であり、１つ以上の突出する部分を含み、カムの回転を介した１つ以上の突出する部分の配向の結果として、パンチ本体の中央キャビティ内部でのキャリヤ本体の対応する移動がもたらされる、請求項１７に記載の方法。
【請求項１９】
キャリヤ本体が、複数の楔部材の１つを収容するように各々画定された複数のスロットを伴って画定されており、パンチ本体の中央キャビティの内部でのキャリヤ本体の上昇および下降の結果として、楔部材は、パンチ本体側壁の内側表面内に画定された対応する溝との関係において移動することになる、請求項１７に記載の方法。
【請求項２０】
楔部材が、パンチ本体の溝の側面と接触し、これに沿って摺動するように形成されており、楔部材は相応してキャリヤ本体のスロットの内部で摺動し、キャリヤ本体が上昇位置にある場合にキャリヤ本体の中央キャビティ内に部分的に突出する、請求項１９に記載の方法。
【請求項２１】
楔部材の各突出部分が、パンチチップのハブの対応する表面と係合するように形成された表面を含み、楔部材およびパンチチップのハブの表面が、パンチチップをパンチ本体に固定する際の楔部材およびパンチチップのハブの唯一の接触表面を表わしている、請求項２０に記載の方法。